(57)【特許請求の範囲】
【請求項１】
集水溝２を設けた凹形の根太材１を設け、根太材１の側壁３の上端部に略水平方向の内側に延びる溝縁部４を設け、側壁３の上部の外側に、集水溝２より浅く形成した集水樋１３の端壁１４を当接し、端壁１４と溝縁部４を、挟付け具２２の、頂板２３の一方の側縁から下方に延びる押さえ金具２４と、前記頂板２３の他方の側縁から下方に延びるかぎ状留め金２５で挟付けて、集水樋１３の端壁１４を根太材１の側壁３に固定して、集水樋１３を根太材１に略直交するように形成し、集水樋１３の端壁１４の下部に集水樋流出孔１５を設け、根太材１の側壁３に根太流入孔６を設け、集水樋流出孔１５と根太流入孔６との接続部は水密状態で、かつ、集水樋流出孔１５と根太流入孔６とは連通し、集水樋流出孔１５は挟付け具２２に形成された流出水通路２６で集水樋１３内と連通するように形成され、前記挟付け具２２の前記端壁１４を押さえる前記押さえ金具２４が、前記集水樋１３の集水用溝内に配置されている建築物の床の水排出装置。
【発明の詳細な説明】
【０００１】
【発明の属する技術分野】
本発明は、清掃等に水を使用する建築物の床の水排出装置に関する。
【０００２】
【従来の技術】
本出願人は、さきに清掃に水を使用する建築物の床構造に係る発明の特許出願をし、そして、その発明は、特許第２５３９７０９号として特許され、特許公報に記載されている。
【０００３】
前記の特許発明は、溝型材からなる根太材を並置し、この根太材を直角に交差して支持する大引き材を設け、大引き材と根太材の交接部に、上下に貫通する通水孔を設けたものである。
【０００４】
そして、図５に示すように、集水溝２を設けた根太材１は、床パネル５３ａと床パネル５３ｃの間の下側に設けるものである。
そして、床パネル５３ａと床パネル５３ｂの間は、パッキン等を挿入して防水しても、水が下方に漏れる虞れがある。
【０００５】
そこで、床パネル５３ａと床パネル５３ｂの接する部分の下に、根太材１と直交するようにして、集水樋１３を設けることが考えられている。
【０００６】
【発明が解決しようとする課題】
前記図５に示すように形成した床の水排出装置は、根太材１の集水溝２と、集水樋１３で滴下する水を受けているので、水の漏出を防ぐことができるものである。
【０００７】
しかしながら、根太材１と集水樋１３は、集水溝２のある部分と集水樋１３の部分を重ね合わすようにして設けるので、水排出装置全体が厚くなった。
本発明は、前記事項に鑑みなされたものであり、漏水を防ぐことのできる床の水排出装置を、薄く形成できるようにすることを課題とする。
【０００８】
また、漏水を防ぐことのできる床の水排出装置を、施工性の良好な装置とすることを課題とする。
【０００９】
【課題を解決するための手段】
本発明は、集水溝２を設けた凹形の根太材１を設け、根太材１の側壁３の上端部に略水平方向の内側に延びる溝縁部４を設け、側壁３の上部の外側に、集水溝２より浅く形成した集水樋１３の端壁１４を当接し、端壁１４と溝縁部４を、挟付け具２２で挟付けて、集水樋１３の端壁１４を根太材１の側壁３に固定して、集水樋１３を根太材１に略直交するように形成し、集水樋１３の端壁１４の下部に集水樋流出孔１５を設け、根太材１の側壁３に根太流入孔６を設け、集水樋流出孔１５と根太流入孔６とは、外部に対し水密状態で、かつ、集水樋流出孔１５と根太流入孔６とは連通し、集水樋流出孔１５は挟付け具２２に形成された流出水通路２６で集水樋１３内と連通するように形成して建築物の床の水排出装置とした。
【００１０】
【発明の実施の形態】
以下図に基づいて本発明の実施の形態の説明をする。図１及び図２は本発明の建築物の床の水排出装置の一実施の形態の説明用の図である。
【００１１】
この実施の形態は、集水溝２を設けたステンレススチール製の凹形の根太材１を設け、根太材１の側壁３の上端部に水平方向の内側に延びる溝縁部４を設けてある。
【００１２】
そして、側壁３の略上半部の外側に、集水溝２の略半分程の深さに形成した、集水樋１３の端部に設けた、端壁１４を当接し、端壁１４と溝縁部４を、数字の７の字形の挟付け具２２の、頂板２３より下方に延びる押さえ金具２４とかぎ状留め金２５で挟付けて、集水樋１３の端壁１４を根太材１の側壁３に固定し、集水樋１３を根太材１に直交するような形に形成してあるが、根太材１の集水溝２の有る部分と、集水樋１３の樋となる部分は重ならないようにしてある。
【００１３】
そして、根太材１の側壁３の上部に根太流入孔６を設け、集水樋１３に設けた端壁１４の下部に集水樋流出孔１５を設け、集水樋１３の端壁１４に圧接している挟付け具２２の押さえ金具２４には、流出水通路２６が設けてある。
【００１４】
そして、前記根太流入孔６と集水樋流出孔１５と流出水通路２６には、ゴム管で形成した管状のパッキン２７が装着されている。
そして、根太流入孔６と集水樋流出孔１５とは、外部に対して水密状態で、かつ、根太流入孔６と集水樋流出孔１５は、挟付け具２２に形成された流出水通路２６で集水樋１３内と連通するように形成されている。
【００１５】
そして、集水溝２の端部は端部閉鎖板７で閉鎖されている。
前記パッキン２７は、筒状でなく環状に形成して、側壁３の根太流入孔６の周囲と、端壁１４の集水樋流出孔１５の周囲の間に介挿したものに形成することができる。
【００１６】
また、挟付け具２２の押さえ金具２４も、集水樋１３に必ずしも水密となるように形成する必要はない。
そして、根太材１・集水樋１３等は、鋼製・合成樹脂製等とすることも可能である。
【００１７】
図３及び図４は、建築物の床の水排出装置の補強装置の一実施の形態の説明用の図である。
この補強装置は、ステンレススチールまたは鋼等で形成した、逆凹形補強材３４を備えている。そして、逆凹形補強材３４は、天板３５の両側部から側板３６をそれぞれ垂下して設け、天板３５の先端部から下方に折れ曲がって垂下する端板３７を設けてある。
【００１８】
そして、この逆凹形補強材３４は、端部を図４に示す止め金具４３で、根太材１に取付けてある。
そして、前記止め金具４３は、頂部板４４を備え、頂部板４４の一方の側縁から基部押さえ金具４５を下方に垂下して設け、頂部板４４の他方の側縁から下方に突出するフック４６を設け、前記基部押さえ金具４５の下端からは、基部押さえ金具４５と小間隙を置いて、上方に折り曲げた折り曲げ止め具４７を設けている。
【００１９】
そして、前記逆凹形補強材３４を根太材１に装着するには、止め金具４３の基部押さえ金具４５と、折り曲げ止め金具４７間の小間隙に、逆凹形補強材３４に設けた端板３７の下端部を圧入して取付け、次に、この逆凹形補強材３４を取付けた止め金具４３のフック４６を、根太材１の溝縁部４の先端部５に引っ掛けて取付ける。
【００２０】
そして、床の上に掛かった荷重を、逆凹形補強材３４でも支承するものである。
そして、集水樋１３を設ける必要のない箇所で、補強を必要とする箇所には、簡単な構成の補強装置を装着することにより、コストを安くできる。
【００２１】
【発明の効果】
本発明は、根太材１の側壁３の上部の外側に、根太材１の集水溝２より浅く形成した集水樋１３の端壁１４を当接し、端壁１４と溝縁部４を、挟付け具２２で挟付けて、集水樋１３の端壁１４を根太材１の側壁３に固定して、集水樋１３の端壁１４の下部に集水樋流出孔１５を設け、根太材１の側壁３に根太流入孔６を設け、かつ、集水樋流出孔１５と根太流入孔６とは連通し、集水樋流出孔１５は集水樋１３内と連通するように形成されたものである。
【００２２】
したがって、本発明は、根太材１と集水樋１３が重ね合わされていないので、床の水排出装置の高さを低くでき、水排出装置を設けた床と、水排出装置を設けていない部分の床との段差を小さくでき、水排出装置を設けた床と、その上部の天井との間隔の減少度も小さくできるものである。
【００２３】
また、集水樋１３は、根太材１に容易に取り付けられるので、床全体の施工効率性・経済性を向上させることができる。
【図面の簡単な説明】
【図１】本発明の一実施の形態の説明用の斜視図
【図２】本発明の一実施の形態の説明用の要部の拡大断面図
【図３】本発明に関連する実施の形態の斜視図
【図４】本発明に関連する実施の形態の部品の斜視図
【図５】従来技術の説明用の平面図
【符号の説明】
１    根太材
２    集水溝
３    側壁
４    溝縁部
５    先端部
６    根太流入孔
７    端部閉鎖板
１３    集水樋
１４    端壁
１５    集水樋流出孔
２２    挟付け具
２３    頂板
２４    押さえ金具
２５    かぎ状留め具
２６    流出水通路
２７    パッキン
３４    逆凹形補強材
３５    天板
３６    側板
３７    端板
４３    止め金具
４４    頂部板
４５    基部押さえ金具
４６    フック
４７    折り曲げ止め具
５３ａ・５３ｂ・５３ｃ    床パネル
【図１】
0004342659.tif 000002
【図２】
0004342659.tif 000003
【図３】
0004342659.tif 000004
【図４】
0004342659.tif 000005
【図５】
0004342659.tif 000006